(57)【要約】【課題】照度を保ちながら眩しさを感じさせない照明器具装置を提供する。【解決手段】ＬＥＤ照明器具装置１００は、異なる波長で発光する複数の発光ダイオード（ＬＥＤ）と、複数の発光ダイオードの出力を調整するための制御部１１０とを備え、複数の発光ダイオードは、５００ｎｍ以下の短波長で発光する短波長ＬＥＤ群１２０と、５００ｎｍよりも長い波長で発光するＬＥＤ群１３０とを含み、制御部１１０は、短波長ＬＥＤ群１２０の出力を停止または減少させることが可能であるように構成されている。【選択図】図１
2008210535.tif 000002
【特許請求の範囲】
【請求項１】
異なる波長で発光する複数の発光ダイオード（ＬＥＤ）と、
前記複数の発光ダイオードの出力を調整するための制御手段とを備え、
前記複数の発光ダイオードは、５００ｎｍ以下の短波長で発光する第一の発光ダイオードと、５００ｎｍよりも長い波長で発光する第二の発光ダイオードとを含み、
前記制御手段は、前記第一の発光ダイオードの出力を停止または減少させることが可能であるように構成されている、ＬＥＤ照明器具装置。
【請求項２】
前記制御手段は、使用者が前記第一の発光ダイオードの出力を停止または減少させるための出力切替手段を含む、請求項１に記載のＬＥＤ照明器具装置。
【請求項３】
所定の時間帯を記憶するための記憶手段を備え、
前記制御手段は、前記記憶手段に記憶されている所定の時間帯において、前記第一の発光ダイオードの出力を停止または減少させるように前記第一の発光ダイオードを制御する所定時間帯制御を行い、前記記憶手段に記憶されている所定の時間帯以外の時間帯において、前記所定時間帯制御を行なわない、請求項１または請求項２に記載のＬＥＤ照明器具装置。
【請求項４】
前記発光ダイオードの周囲の照度を検知するための照度検知手段を備え、
前記制御手段は、前記照度検知手段によって検知される照度が所定の値よりも小さい場合には、前記第一の発光ダイオードの出力を停止または減少させるように前記第一の発光ダイオードを制御する、請求項１から請求項３までのいずれか１項に記載のＬＥＤ照明器具装置。
【請求項５】
前記制御手段は、前記第一の発光ダイオードの出力を停止または減少させる場合には、前記第二の発光ダイオードの出力を調整するように前記第一の発光ダイオードと前記第二の発光ダイオードを制御する、請求項１から請求項４までのいずれか１項に記載のＬＥＤ照明器具装置。
【発明の詳細な説明】
【技術分野】
【０００１】
本発明は発光ダイオード（ＬＥＤ）を光源とする照明器具装置に関する。
【背景技術】
【０００２】
従来の照明装置は、白熱電球や蛍光灯を使用したものが一般的である。白熱電球や蛍光灯などの光源を備える照明器具装置においては、従来、光源の出力を抑えて、人の目に入る光の量を減少させることによって、眩しさを低減させている。
【０００３】
例えば、特開平９−７７７１号公報（特許文献１）に記載の点灯スイッチ装置においては、周囲の明るさを検知する照度センサーの検知結果によって、ランプを全点灯するか減光するかを制御する。周囲が暗い場合には、ランプを消灯状態から徐々に明るくして、全点灯よりも出力の低い減光レベルまで、ランプの出力を上げる。
【０００４】
また、特開平９−２６６０７３号公報（特許文献２）に記載の照明器具は、深夜にランプを点灯する場合には、人の顔面周辺の照度が１〜５ルックス程度になるようにランプの出力を制御している。
【特許文献１】特開平９−７７７１号公報
【特許文献２】特開平９−２６６０７３号公報
【発明の開示】
【発明が解決しようとする課題】
【０００５】
しかしながら、特開平９−７７７１号公報（特許文献１）に記載の点灯スイッチ装置や、特開平９−２６６０７３号公報（特許文献２）に記載の照明装置のように、光源の出力を減少させて減光して照明の調光を行なう照明器具装置の場合、全体の照度をかなり下げなければ眩しさを感じる。眩しさを感じない程度にまで照度を下げるためには、光源の出力をかなり減少させる必要がある。眩しさを感じない程度にまで光源の出力を減少させると、照明を点灯させていても周囲の状況が視認しにくくなるので、安全上好ましくない。
【０００６】
そこで、この発明の目的は、照度を保ちながら眩しさを感じさせない照明器具装置を提供することである。
【課題を解決するための手段】
【０００７】
この発明に従ったＬＥＤ照明器具装置は、異なる波長で発光する複数の発光ダイオード（ＬＥＤ）と、複数の発光ダイオードの出力を調整するための制御手段とを備え、複数の発光ダイオードは、５００ｎｍ以下の短波長で発光する第一の発光ダイオードと、５００ｎｍよりも長い波長で発光する第二の発光ダイオードとを含み、制御手段は、第一の発光ダイオードの出力を停止または減少させることが可能であるように構成されている。
【０００８】
従来の照明器具装置に用いられる白熱電球や蛍光灯などの光源からは、様々な波長の光が放射されている。可視領域の光であっても、短波長の光はエネルギーが強く、このような光が目に入ると眩しさを感じる原因となる。
【０００９】
したがって、白熱灯や蛍光灯の眩しさを低減させる場合のように全ての波長の光について出力を停止または減少させて光の量を減らして眩しさを低減させるのではなく、特に眩しさを感じさせやすい短波長の光のみを出力停止または減少させることによって、照度を保ちながら眩しさを低減させることができる。
【００１０】
そこで、特定の波長の光で発光することが可能な発光ダイオード（ＬＥＤ）を照明器具装置の光源として用いる。異なる波長で発光する複数の発光ダイオードを用いることによって、特定の波長の光で発光する発光ダイオードだけを出力停止または減光させることができ、また、様々な色の照明に調光することができる。５００ｎｍ以下の短波長で発光する第一の発光ダイオードと、５００ｎｍよりも長い波長で発光する第二の発光ダイオードとを光源とすることによって、可視領域の光のうち、眩しさの原因となる５００ｎｍ以下の短波長の光だけを選択して照射停止または減光することができる。
【００１１】
このようにすることにより、照度を保ちながら眩しさを感じさせない照明器具装置を提供することができる。
【００１２】
また、網膜色素変性症などの網膜疾患、角膜疾患などがあり眩しさを感じやすい人にとっても、眩しさを感じさせず明るい照明が可能となる。眩しさが低減されるので、コントラストが明瞭に見える照明となる。
【００１３】
この発明に従ったＬＥＤ照明器具装置においては、制御手段は、使用者が第一の発光ダイオードの出力を停止または減少させるための出力切替手段を含むことが好ましい。
【００１４】
このようにすることにより、使用者の必要に応じて、眩しさを低減させた照明と、光量を上げて明るくした照明とを切り替えることができる。
【００１５】
この発明に従ったＬＥＤ照明器具装置は、所定の時間帯を記憶するための記憶手段を備え、制御手段は、記憶手段に記憶されている所定の時間帯において、第一の発光ダイオードの出力を停止または減少させるように第一の発光ダイオードを制御する所定時間帯制御を行い、記憶手段に記憶されている所定の時間帯以外の時間帯において、所定時間帯制御を行なわないことが好ましい。
【００１６】
このようにすることにより、例えば所定の時間帯を深夜に設定した場合、使用者が意識して照明を調整しなくても、眩しさを低減させた照明を点灯させることができるので、眩しい照明によって覚醒してしまい、その後寝付けなくなることを防ぐことができる。
【００１７】
この発明に従ったＬＥＤ照明器具装置は、発光ダイオードの周囲の照度を検知するための照度検知手段を備え、制御手段は、照度検知手段によって検知される照度が所定の値よりも小さい場合には、第一の発光ダイオードの出力を停止または減少させるように第一の発光ダイオードを制御することが好ましい。
【００１８】
このようにすることにより、周囲が暗い場合には自動的に眩しさを低減させた照明を点灯し、周囲が明るい場合には自動的に照度の高い照明を点灯することが可能となる。周囲の明るさに応じて眩しさを低減させた照明を使用することができるので、明るさに目が慣れていない状態で急に眩しい光を見ることを防ぐことができる。また、周囲が明るい場合に照明の照度を高くすることによって、効率のよい照明をすることができる。
【００１９】
この発明に従ったＬＥＤ照明器具装置においては、制御手段は、第一の発光ダイオードの出力を停止または減少させる場合には、第二の発光ダイオードの出力を調整するように第一の発光ダイオードと第二の発光ダイオードを制御することが好ましい。
【００２０】
眩しさを低減するために５００ｎｍ以下の短波長の光を照射停止したり減光したりすると、照明光から青や紫の光が除かれるので、照明の色は赤みが強くなる。
【００２１】
そこで、このようにすることにより、眩しさを低減させた照明にした場合にも、第二の発光ダイオードの出力を調整して照明の色味や全体の光量を調整することによって、眩しさを低減させた光が極端に赤いなどの色味から受ける不快感を抑制することができる。
【発明の効果】
【００２２】
以上のように、この発明によれば、照度を保ちながら眩しさを感じさせない照明器具装置を提供することができる。
【発明を実施するための最良の形態】
【００２３】
以下、この発明の実施の形態を図面に基づいて説明する。
【００２４】
（第１実施形態）
図１は、この発明の第１実施の形態として、ＬＥＤ照明器具装置の構成を示すブロック図である。
【００２５】
図１に示すように、ＬＥＤ照明器具装置１００は、制御手段として制御部１１０と、５００ｎｍ以下の短波長で発光する第一の発光ダイオードとして短波長ＬＥＤ群１２０と、５００ｎｍよりも長い波長で発光する第二の発光ダイオードとして非短波長ＬＥＤ群１３０と、電源部１４０と、照明の点灯と消灯とを切り替えるためのスイッチ部１５０とを備える。短波長ＬＥＤ群１２０は、それぞれ異なる波長の光を発光するＬＥＤａ１、ＬＥＤａ２・・・ＬＥＤａｎのｎ個のＬＥＤを含む。非短波長ＬＥＤ群１３０は、それぞれ異なる波長の光を発光するＬＥＤｂ１、ＬＥＤｂ２・・・ＬＥＤｂｍのｍ個の発光ダイオードを含む。短波長ＬＥＤ群１２０と非短波長ＬＥＤ群１３０は、それぞれ、同一の波長で発光する発光ダイオードを複数個含んでいてもよい。
【００２６】
短波長ＬＥＤ群１２０と非短波長ＬＥＤ群１３０を構成する個々の発光ダイオードには、制御部１１０を介して電源部１４０から電力が供給される。制御部１１０は、短波長ＬＥＤ群１２０と非短波長ＬＥＤ群１３０を構成する個々の発光ダイオードの出力を調整する。ここで、制御部１１０が短波長ＬＥＤ群１２０を構成する個々の発光ダイオードの出力を停止または減少させるときの照明を「遮光モード」といい、「遮光モード」でない照明を「通常モード」という。
【００２７】
制御部１１０は、「遮光モード」の照明を行なうときには、非短波長ＬＥＤ群１３０を構成する個々の発光ダイオードの出力を調整して、光量が小さくなり過ぎて眩しさは感じないが周囲の視認が困難になるということや、非短波長ＬＥＤ群１３０のみによる照明でも光量が大き過ぎて眩しさが解消されないといったことがないようにし、また、照明光の赤みが強くなり過ぎないようにする。
【００２８】
使用者は、スイッチ部１５０をＯＮにして照明を点灯させ、スイッチ部１５０をＯＦＦにして照明を消灯させることができる。
【００２９】
図２は、この発明の第１実施形態として、ＬＥＤ照明器具装置の全ての発光ダイオードを点灯するときの照明光の分光分布図である。
【００３０】
図２に示すように、５００ｎｍ以下の短波長で発光する短波長ＬＥＤ群１２０を構成する発光ダイオード（ＬＥＤａ１、ＬＥＤａ２・・・ＬＥＤａｎ）と、５００ｎｍよりも長い波長で発光する非短波長ＬＥＤ群１３０を構成する発光ダイオード（ＬＥＤｂ１、ＬＥＤｂ２・・・ＬＥＤｂｍ）が全て点灯することによって、５００ｎｍ以下の短波長領域Ａと５００ｎｍよりも長い波長の領域Ｂを含む可視光範囲内の全範囲にわたって光の分布が広がっている。図２中には複数のピーク波長が見られるが、個々の発光ダイオードの出力を調整することによって、各波長におけるピークの相対強度比が調整され、発光ダイオードが発光する様々な波長の光の混合による照明色が得られる。このように、発光ダイオードを光源に用いることによって、明るく演色性のよい照明装置１００を実現することができる。
【００３１】
図３は、この発明の第１実施形態として、短波長ＬＥＤ群を構成する発光ダイオードを全て消灯するときの照明光の分光分布図である。
【００３２】
図３に示すように、制御部１１０が短波長ＬＥＤ群１２０を構成する発光ダイオードを全て消灯させるように制御して「遮光モード」の照明を行なうときには、５００ｎｍ以下の短波長領域Ａの光は見られなくなる。５００ｎｍよりも長い波長の領域Ｂには、非短波長ＬＥＤ群１３０を構成する発光ダイオードの波長と出力に対応して複数のピークが見られる。
【００３３】
ここでは「遮光モード」として、５００ｎｍ以下の全波長の発光ダイオードについて出力を停止しているが、５００ｎｍ以下の波長のうち一部の波長の発光ダイオードのみ出力を停止してもかまわないし、出力を完全に停止せずに出力を減少させることによっても眩しさを低減することができる。
【００３４】
このように、ＬＥＤ照明器具装置１００は、異なる波長で発光する複数の発光ダイオード（ＬＥＤ）と、複数の発光ダイオードの出力を調整するための制御部１１０とを備え、複数の発光ダイオードは、５００ｎｍ以下の短波長で発光する短波長ＬＥＤ群１２０と、５００ｎｍよりも長い波長で発光する非短波長ＬＥＤ群１３０とを含み、制御部１１０は、短波長ＬＥＤ群１２０の出力を停止または減少させることが可能であるように構成されている。
【００３５】
従来の照明器具装置に用いられる白熱電球や蛍光灯などの光源からは、様々な波長の光が放射されている。可視領域の光であっても、短波長の光はエネルギーが強く、このような光が目に入ると眩しさを感じる原因となる。
【００３６】
したがって、白熱灯や蛍光灯の眩しさを低減させる場合のように全ての波長の光について出力を停止または減少させて光の量を減らして眩しさを低減させるのではなく、特に眩しさを感じさせやすい短波長の光のみを出力停止または減少させることによって、照度を保ちながら眩しさを低減させることができる。
【００３７】
そこで、特定の波長の光で発光することが可能な発光ダイオード（ＬＥＤ）を照明器具装置１００の光源として用いる。異なる波長で発光する複数の発光ダイオード（短波長ＬＥＤ群１２０、ＬＥＤ郡１３０）を用いることによって、様々な色の照明に調光することができる。このようなＬＥＤ照明器具装置１００においては、可視領域の光のうち、眩しさの原因となる５００ｎｍ以下の短波長の光だけを照射停止または減光することができる。
【００３８】
このようにすることにより、照度を保ちながら眩しさを感じさせないＬＥＤ照明器具装置１００を提供することができる。
【００３９】
また、網膜色素変性症などの網膜疾患、角膜疾患などがあり眩しさを感じやすい人にとっても、眩しさを感じさせず明るい照明が可能となる。眩しさが低減されるので、コントラストが明瞭に見える照明となる。
【００４０】
また、この発明に従ったＬＥＤ照明器具装置１００においては、制御部１１０は、短波長ＬＥＤ群１２０の発光ダイオードの出力を停止または減少させる場合には、非短波長ＬＥＤ群１３０の出力を調整するように短波長ＬＥＤ群１２０のＬＥＤａ１、ＬＥＤａ２・・・ＬＥＤａｎと、非短波長ＬＥＤ群１３０のＬＥＤｂ１、ＬＥＤｂ２・・・ＬＥＤｂｍを制御する。
【００４１】
眩しさを低減するために５００ｎｍ以下の短波長の光を照射停止したり減光したりすると、照明光から青や紫の光が除かれるので、照明の色は赤みが強くなる。
【００４２】
そこで、このようにすることにより、眩しさを低減させた照明にした場合にも、非短波長ＬＥＤ群１３０の出力を調整して照明の色味や全体の光量を調整することによって、眩しさを低減させた光が極端に赤いなどの色味から受ける不快感を抑制することができる。
【００４３】
（第２実施形態）
図４は、この発明の第２実施形態として、ＬＥＤ照明器具装置の構成を示すブロック図である。
【００４４】
図４に示すように、ＬＥＤ照明器具装置１０１は、第１実施形態のＬＥＤ照明器具装置１００と異なる点として、スイッチ部１５０が電源スイッチ１５１と出力切替手段として遮光スイッチ１５２を含む。照明器具装置１０１のその他の構成は、第１実施形態の照明器具装置１００と同様である。
【００４５】
電源スイッチ１５１は、照明の点灯と消灯を切り替えるためのスイッチである。遮光スイッチ１５２は、短波長ＬＥＤ群１２０の出力を停止または減少させる「遮光モード」の照明と、短波長ＬＥＤ群１２０と非短波長ＬＥＤ群１３０の全ての発光ダイオードを点灯させる照明とを切り替えるためのスイッチである。使用者によって電源スイッチ１５１と遮光スイッチ１５２が操作されると、電源スイッチ１５１と遮光スイッチ１５２は制御部１１０に制御信号を送信し、制御部１１０は、電源スイッチ１５１と遮光スイッチ１５２から受信した制御信号に基づいて、短波長ＬＥＤ群１２０と非短波長ＬＥＤ群１３０の発光ダイオードの出力を制御する。
【００４６】
使用者は、電源スイッチ１５１をＯＮにして照明を点灯させ、電源スイッチ１５１をＯＦＦにして照明を消灯させることができる。また、使用者が遮光スイッチ１５２をＯＮにすると「遮光モード」になり、使用者が遮光スイッチ１５２をＯＦＦにすると、短波長ＬＥＤ群１２０の発光ダイオードも非短波長ＬＥＤ群１３０の発光ダイオードと同様に、出力を停止または減少されないで点灯する。
【００４７】
遮光スイッチ１５２の操作を通して出力の停止または減少を制御することが可能な発光ダイオードは、５００ｎｍ以下の全波長領域の発光ダイオードの全てではなく、５００ｎｍ以下の一部の波長で発光する発光ダイオードのみであってもかまわない。また、遮光スイッチ１５２は電源スイッチ１５１と別々でなく、ひとつのスイッチで兼用されてもかまわない。
【００４８】
このように、ＬＥＤ照明器具装置１０１においては、制御部１１０は、使用者が短波長ＬＥＤ群１２０の出力を停止または減少させるための遮光スイッチ１５２を含む。
【００４９】
このようにすることにより、使用者の必要に応じて、眩しさを低減させた照明と、光量を上げて明るくした照明とを切り替えることができる。
【００５０】
第２実施形態のＬＥＤ照明器具装置１０１のその他の効果は、第１実施形態のＬＥＤ照明器具装置１００と同様である。
【００５１】
（第３実施形態）
図５は、この発明の第３実施形態として、ＬＥＤ照明器具装置の構成を示すブロック図である。
【００５２】
図５に示すように、ＬＥＤ照明器具装置１０２は、第２実施形態のＬＥＤ照明器具装置１０１と異なる点として、記憶手段としてタイマ部１６０を備える。タイマ部１６０は、所定の時間帯を記憶し、また、現在の時刻を検知することができる。タイマ部１６０は、工場出荷時に設定された時間帯を記憶してもよいし、使用者が使用開始時や使用中に設定した時間帯を記憶してもかまわない。タイマ部１６０は現在の時刻を検知して制御部１１０に制御信号を送信する。照明器具装置１０２のその他の構成は、第２実施形態の照明器具装置１０１と同様である。
【００５３】
図６は、本発明の第３実施形態にかかる、本発明のＬＥＤ照明器具装置におけるタイマ制御の制御処理を順に示すフローチャートである。本フローチャートは、制御部１１０で実行するプログラムのメインルーチン内のひとつのサブルーチンとして実行される。以下の工程において、所定の判断を行う主体は制御部１１０である。
【００５４】
図６に示すように、ステップＳ００１では、制御部１１０が、電源スイッチ１５１がＯＮ状態にあるかどうかを判定する。電源スイッチ１５１がＯＦＦになっており、照明が消灯されていれば、サブルーチンを抜ける。電源スイッチ１５１がＯＮ状態にあり、照明が点灯していれば、ステップＳ００２に進む。
【００５５】
ステップＳ００２では、制御部１１０が、遮光スイッチ１５２がＯＮにされているかどうかを確認する。遮光スイッチ１５２がＯＮにされて、照明が「遮光モード」になっていれば、サブルーチンを抜ける。遮光スイッチ１５２がＯＦＦにされて、照明が「遮光モード」ではない「通常モード」になっていれば、ステップＳ００３に進む。
【００５６】
ステップＳ００３では、制御部１１０が、タイマ部１６０が記憶している所定の時間帯を確認し、ステップＳ００４に進む。ステップＳ００４では、タイマ部１６０が現在の時刻を検知し、制御部１１０に制御信号を送信する。ステップＳ００５では、タイマ部１６０から受信した制御信号に基づいて、現在の時刻が、タイマ部１６０に記憶されている所定の時間帯内であるかどうかを制御部１１０が判定する。現在の時刻がタイマ部１６０に記憶されている所定の時間帯内であれば、ステップＳ００６に進み、制御部１１０が短波長ＬＥＤ群１２０と非短波長ＬＥＤ群１３０の出力を制御して、「遮光モード」の照明を行ない、その後、サブルーチンを抜ける。
【００５７】
現在の時刻がタイマ部１６０に記憶されている所定の時間帯内の時刻でなければ、ステップＳ００７に進む。ステップＳ００７においては、「通常モード」の照明を行なうように制御部１１０が短波長ＬＥＤ群１２０と非短波長ＬＥＤ群１３０の出力を制御する。このとき、ステップＳ００６において制御部１１０が「遮光モード」の照明を行なうように短波長ＬＥＤ群１２０を制御していれば、「遮光モード」から「通常モード」の照明に戻ることになるが、ステップＳ００６において制御部１１０が「遮光モード」の照明を行なうように短波長ＬＥＤ群１２０を制御していなければ、「通常モード」の照明が維持される。
【００５８】
このように、ＬＥＤ照明器具装置１０２は、遮光スイッチ１５２がＯＮ状態にされておらず照明が「通常モード」で点灯されている時に所定の時間帯になると、自動的に「遮光モード」に移行する。また、照明が消灯されている時に所定の時間帯になれば、使用者によって次に電源スイッチ１５１がＯＮにされた時に、「遮光モード」で点灯する。所定の時間帯において「遮光モード」に移行する制御を行なった場合には、所定の時間帯を過ぎても照明が点灯されている場合には、「遮光モード」から「通常モード」に戻すように制御を行なう。ただし、遮光スイッチ１５２がＯＮ状態にされている場合には、所定の時間帯を過ぎて「遮光モード」で点灯されていても「通常モード」に移行せず、「遮光モード」を維持する。
【００５９】
このように、ＬＥＤ照明器具装置１０２は、所定の時間帯を記憶するためのタイマ部１６０を備え、制御部１１０は、タイマ部１６０に記憶されている所定の時間帯において、短波長ＬＥＤ群１２０の出力を停止または減少させるように短波長ＬＥＤ群１２０を制御する時間帯制御を行い、タイマ部１６０に記憶されている所定の時間帯以外の時間帯において、時間帯制御を行なわない。
【００６０】
このようにすることにより、例えば所定の時間帯を深夜に設定した場合、使用者が意識して照明を調整しなくても、眩しさを低減させた照明を点灯させることができるので、眩しい照明によって覚醒してしまい、その後寝付けなくなることを防ぐことができる。
【００６１】
第３実施形態のＬＥＤ照明器具装置１０２のその他の効果は、第２実施形態のＬＥＤ照明器具装置１０１と同様である。
【００６２】
（第４実施形態）
図７は、この発明の第４実施形態として、ＬＥＤ照明器具装置の構成を示すブロック図である。
【００６３】
図７に示すように、ＬＥＤ照明器具装置１０３は、第２実施形態のＬＥＤ照明器具装置１０１と異なる点として、照度検知手段としてセンサ部１７０を備える。センサ部１７０は、ＬＥＤ照明器具装置１０３の周囲の照度を検知する。センサ部１７０が検知した照度の情報は、制御部１１０に格納される。
【００６４】
照明時にセンサ部１７０によって検知された照度が所定の照度以下であれば、制御部１１０は、「遮光モード」の照明を行なうように短波長ＬＥＤ群１２０のＬＥＤの出力を制御する。また、使用者が電源スイッチ１５１をＯＮにして照明を点灯する時には、使用者が電源スイッチ１５１をＯＮにする前にセンサ部１７０によって検知された照度が所定の照度以下であれば、「遮光モード」を優先して点灯する。
【００６５】
このように、ＬＥＤ照明器具装置１０３は、発光ダイオードの周囲の照度を検知するためのセンサ部１７０を備え、制御部１１０は、センサ部１７０によって検知される照度が所定の値よりも小さい場合には、短波長ＬＥＤ群１２０の出力を停止または減少させるように短波長ＬＥＤ群１２０を制御する。
【００６６】
このようにすることにより、周囲が暗い場合には自動的に眩しさを低減させた照明を点灯し、周囲が明るい場合には自動的に照度の高い照明を点灯することが可能となる。周囲の明るさに応じて眩しさを低減させた照明を使用することによって、明るさに目が慣れていない状態で急に眩しい光を見ることを防ぐことができる。また、周囲が明るい場合に照明の照度を高くすることによって、効率のよい照明をすることができる。
【００６７】
第４実施形態のＬＥＤ照明器具装置１０３のその他の効果は、第２実施形態のＬＥＤ照明器具装置１０１と同様である。
【００６８】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【図面の簡単な説明】
【００６９】
【図１】この発明の第１実施の形態として、ＬＥＤ照明器具装置の構成を示すブロック図である。
【図２】この発明の第１実施形態として、ＬＥＤ照明器具装置の全てのＬＥＤを点灯するときの照明光の分光分布図である。
【図３】この発明の第１実施形態として、短波長ＬＥＤ群を構成するＬＥＤを全て消灯するときの照明光の分光分布図である。
【図４】この発明の第２実施形態として、ＬＥＤ照明器具装置の構成を示すブロック図である。
【図５】この発明の第３実施形態として、ＬＥＤ照明器具装置の構成を示すブロック図である。
【図６】本発明の第３実施形態にかかる、本発明のＬＥＤ照明器具装置におけるタイマ制御の制御処理を順に示すフローチャートである。
【図７】この発明の第４実施形態として、ＬＥＤ照明器具装置の構成を示すブロック図である。
【符号の説明】
【００７０】
１００〜１０３：ＬＥＤ照明器具装置、１１０：制御部、１２０：短波長ＬＥＤ群、１３０：非短波長ＬＥＤ群、１５２：遮光スイッチ、１６０：タイマ部、１７０：センサ部。
【図１】
2008210535.tif 000003
【図２】
2008210535.tif 000004
【図３】
2008210535.tif 000005
【図４】
2008210535.tif 000006
【図５】
2008210535.tif 000007
【図６】
2008210535.tif 000008
【図７】
2008210535.tif 000009